(57)【要約】【課題】    ゴミ取り器具、雑巾掛け器具及びワックス掛け器具にそれぞれあった従来の問題点を解決する各器具を開発し、ゴミ取り、雑巾掛け及びワックス掛けという３種の作業を全部終える迄の長い作業時間と身体的負担の大幅な低減を課題としている。【解決手段】    電気モーターで回転するポンピングローター（図１２）又はシリンダー内のピストンの動作（図１９）で、ゴミの吸入及び排出を行なうゴミ取り器具の実現並びに、床や畳に水や湯をスプレイして布で拭き（図１５、１６）、ワックス含滲ペーパーを掛け清掃し、布やペーパーが汚れると、自動的に新しい部分に入れ替える巻取り装置（図１８）が付いた雑巾掛け器具及びワックス掛け器具を実現し、更に、３種の器具が互いに自由に結合できる構造にして、３種又は２種の清掃作業が同時に実行できる組立式清掃器具（図１）を実現したことで課題を解決した。【選択図】  図１
2005087685.tif 000002
【特許請求の範囲】
【請求項１】
清掃を目的とする器具に於て、交流や直流モーターで稼働するゴミ取り器具１０１、雑巾掛け器具２０１及びワックス掛け器具３０１は、それぞれの作業に単独使用できる器具であると共に、互いに結合可能な構造にしてあり、作業目的に応じた組合せを選び、それらを簡単に止め外しが出来る結合フックで結合して、取り外し可能な手押し把手で移動することで、３つ又は２つの作業が同時に実行できる組立式清掃器具（図１）。
【請求項２】
器具内の交流又は充電式直流蓄電池を電源とするモーターを回転力として、円筒形のケース内で回転する軸１３６に、回転がフリーの状態で取付けた２枚のブレード１４１ａ及び１４２ａに対して、動作制御装置（図１４）によって回転と静止の動作を交互に与えることで、２枚のブレードの間に真空ポンプと圧力ポンブの作用が生じ、それによって円筒形のケース内でゴミの吸入と排出を行うポンピングローター（図１０）とその動作制御装置及び微細ゴミを外部に漏らさないゴミケース（図９）を内部に備え、又、結合フックで他の器具と結合ができ、手押し把手も取り付け可能なゴミ取り器具（図３）。
【請求項３】
器具内の交流又は直流電気モーターで回転する回転体６２１の円周を、一端を回転中心６１１にした動力伝達軸６０５の軸コネクーター６１２が回転し、動力伝達軸の他端に生じる直線的往復運動を、他端に取付けた軸コネクター６１３とピストンロッド６０４とピン結合して、シリンダー６０１ａ内のピストン６０３の運動に変え、それによって生じる真空ポンプと圧力ポンプの作用によって、ゴミの吸入と排出を行う装置（図１９）とこれを利用したゴミ取り器具。
【請求項４】
器具に備えた圧力水槽２２１内の水又は湯を圧力ポンプで加圧し、汚れた床や畳にスプレイ器具（図１６）から直接スプレイし、そこを器具に備えたロール状に巻いた布の拭き取り面（ローラー２０７から２０９の部分）で、手押し把手で移動しながら拭き取り、その移動の長さ（詰まり、汚れ具合）が新しい布面に入れ替える汚れ度合いに達すると、巻取り装置（図１８）によって自動的に新しい布の部分と一度に入れ替える方式、又は、器具の移動によってガードベルトローラー（図１７で２０７、２０８、２０９）を回し、ガードベルトと一緒に布を少しずつ新しい布面に擦らす方式によって、連続的に雑巾掛けができ、ロール巻きした布の片面が使い終わると、自動的に裏面が利用できる様に巻取りローラ２０４で巻き取って、布の両面の利用を可能とし、更に、他の器具と結合できるフックが付いた雑巾掛け器具（図４）。
【請求項５】
水を絞った雑巾をローラーに巻いて器具の装置にセットし、拭き取り面（ガードベルトローラー２０７から２０９の部分）を直接汚れた床や畳に当て、把手を押して移動しながら拭き、その移動の長さ（詰まり、汚れ具合）が、新しい布面と入れ替える汚れ度合いに達すると、巻取り装置（図１８）によって自動的に新しい布の部分と一度に入れ替える方式、又は、器具の移動によって小さなガードベルトローラーを回し、ガードベルトと一緒に雑巾を少しずつ新しい布面に擦らす方式によって、連続的に雑巾掛けが可能で、ローラーに巻いた雑巾の片面が使い終わると、自動的に裏面が利用できる様に巻取りローラーで巻き取って、布の両面の利用が可能で、更に、他の器具と結合できるフックが付いた雑巾掛け器具（図４で圧力水槽とスプレイ装置を除いた器具）。
【請求項６】
器具に備えたワックスを含滲したロール状又は折り畳みペーパー（又は布）の床などに当てた部分で、手押し把手で移動しながらワックスを掛け、ワックス面の移動の長さが汚れ度合の長さに達すると、巻取り装置（図１８）によって、自動的に新規なペーパーの部分に一度に擦れて入れ替える方式、又は、器具の移動によってペーパーを移動するガードベルトローラーを回し、ガードベルトと一緒にペーパーを少しずつ新しい部分に擦らす方式によって、連続的にワックス掛けが可能で、更に、片面の全てを使い終わると、自動的に裏面が利用でる様に巻取りローラーで巻き取り、ワックスペーパーの両面の利用が可能で、他の器具と結合できるフックが付いたワックス掛け器具（図５）。
【発明の詳細な説明】
【技術分野】
【０００１】    本発明は、ゴミ取り、雑巾掛け及びワックス掛けという作業に、それぞれ単独に使用できる器具を、互いに自由に組合わせ結合できる構造にして、使用目的に応じた器具の組合せを選び結合することで、それら３つ又は２つの作業を同時に実行できる組立式清掃器具に関する。
【背景技術】
【０００２】
【非特許文献１】「松下電器産業  掃除機  総合カタログ」
【非特許文献２】「株式会社プライム  コードレス  スイパーのリーフレット」
【非特許文献３】「三洋電機  クリーナー総合カタログ２００３−春・夏」
【非特許文献４】「株式会社  リンレイ  つやピカワックスシートの製品説明」
【非特許文献５】「株式会社  テラモト  フローリング用ワイパーの製品説明」
【発明の開示】
【発明が解決しようとする課題】
【０００３】    前記の通り、従来の清掃器具はゴミ取り器具（非特許文献１及び２）、雑巾掛け器具（非特許文献３）及びワックス掛け器具（非特許文献４及び５）と云うように単独使用する別々の製品に分かれているため、器具を収納するスペースが大きくなったり、取り出しや仕舞ったりするのが面倒な上、作業の面でも、ゴミを取った後に雑巾掛け、そのまた後にワックス掛けという工程の全作業は、終わるまで長い時間を要するだけでなく、肉体的負担も少なくないという問題点があった。【０００４】    叉、上記の様な作業に関わる問題点の他に、それぞれ従来の清掃器具自体には以下に述べる問題点がある。
即ち、吸引式ゴミ取り器具に於ては、吸引した微細ゴミがゴミ取り器具から再排出されて、却って室内の空気を汚染し、悪臭が出たりする問題点がある。
他方、高速回転ブラシでゴミを掻き込む方式では、畳目の間や床の板目の間及び絨毯の糸目の間の微細ゴミの除去が十分ではなく、器具の長期使用によって畳や絨毯などに掻爬痕（掻き傷）が生じたり、床板の塗装が除々に削られるという問題点がある。【０００５】    次に、雑巾掛け器具に於ては、例えば、濡れペーパーをローラーに一巻き巻いているだけで、ペーパーが直ぐ汚れるため、幾度となく新しいペーパーと交換せざるを得ず、手間も掛かり、その上、汚れたペーパーはゴミとして捨てられ、仕上がりも水を絞った雑巾で雑巾掛けしたようには清掃できないという問題点がある。【０００６】    更に、従来のワックス掛け器具では、ワックスを含滲した布又はペーパーを器具に手で取付け、それが汚れる度に一々手で取り換えるという手間の掛かる問題点がある。【０００７】    この発明は、前記の問題点を除去するため、ゴミ取り器具、雑巾掛け器具及びワックス掛け器具に対し、本特許の請求項１から請求項６に示す技術内容を実現することで、ゴミ取り、雑巾掛け及びワックス掛けが同時にできる組立式清掃器具の実現を目的とする。
【課題を解決するための手段】
【０００８】    上記した本発明の目的は、前記段落（０００３）から（０００６）に示した問題点を解決するために、本特許の請求項１から請求項６で述べた技術内容に具体化し、これを一々実現したことでゴミ取り、雑巾掛け及びワックス掛けが同時にできる組立式清掃器具を実現したことで達成できた。
【課題を解決するための手段】
【０００９】    上記の通り、この発明の目的は、ゴミ取り、雑巾掛け及びワックス掛けの作業を同時に行う清掃器具を実現することであり、従来それぞれの器具が持っていた問題点（前記段落０００３から０００６に記載）を全て解消することを条件にし、その方法を本特許の請求項１から請求項６に記載した器具の開発で実現し、更に、それぞれの作業に単独使用できる器具でありながら、互いに結合できる構造にして、これら３つの器具又は２つの器具をフックで結合し一つに構成すれば、３つの作業又は２つの作業が、手押し把手で移動しながら同時に実行できる組立式清掃器具としたことで達成できた（図１）。【００１０】    ゴミ取り器具に於ては、交流又は直流モーターで稼働する円筒形のポンピングローターの２枚のブレードが、ローターケース内で、動作制御装置によって交互に静止、回転しながらゴミの吸入及び排出を実現し、更に、四角又は円筒形のシリンダー内のピストンの往復動作でゴミの吸入と排出を行う方式に於ても、ゴミの吸入口と排出口の開閉をピストンの動作に合わせて制御する動作制御装置によって可能とした。
２種の方式とも、装置内でゴミの吸入及び排出を行っているため、ゴミ吸入パイプの長さは１０ｃｍ、ゴミ排出口からゴミケースまでは２ｃｍ程で、その結果、長いゴミホースの付いた器具に比べ、ゴミの吸引力と排出力は小さくてよく、ゴミケースからのゴミの排出を押さえることを一層有利にしている。
更に、排出されるゴミを完全に捕収してケース内で循環させ、外に逃がさず、ゴミパックが不要であり、水洗いも可能なゴミケースを実現し、又、器具全体の小型化及び他の器具と結合ができ、取付け可能な手押し把手で移動しながら使用できる（図３）。【００１１】    雑巾掛け器具では、絞り雑巾で雑巾掛けしたと同じ仕上がり具合を、少量の水や湯をスプレイすることで可能とし、小型で他の器具と結合できる構造を条件にして、手押し把手で移動しながら使用する（図４）。
器具に備えた圧力水槽の水や湯を圧縮空気で畳や床面に直接適量スプレイし、スプレイしたその面をロール状に巻いた布で拭き取る機能を器具に実現して、器具の小型化も達成できた。更に、布が汚れ度合に達すると、自動的に新しい布の面と連続的に入れ替える巻取９装置（図１８）を実現し、布の片面が全部使い終わると裏面が利用できる様に同時に巻き取り、布の両面の利用を可能とし、他の器具と結合できる構造を実現した。
又、上記したスプレイ方式を用いず、ロール状に巻いた水を絞った長い布を、上記の機機能を備えた布巻取り装置にセットしても、同様に目的が達成できた。【００１２】    ワックス掛け器具では、汚れる度に、一々手で交換する手間を省ける様に、ワックスを含滲した長いロール状又は折り畳みペーパーや布を専用装置にセットするだけで、手押し把手で移動しながら床などに直接ワックス掛けができ、ワックス面が汚れ度合いに達すると、新しい部分に擦れて自動的に入れ替える巻取り装置（図１８、雑巾掛け器具のものと同じ形式）によって、ロールを使い切るまで連続的にワックス掛けができ、更に、裏面が利用できる様に巻取ることで両面が無駄なく利用が可能で、他の器具とも結合できる構造に於て実現できた（図５）。
【発明の効果】
【００１３】    この発明は、以上の様な構成にしたので、以下に記載の効果を奏する。
第一に、従来のゴミ取り器具、雑巾掛け器具及びワックス掛け器具にそれぞれあった問題点、即ち、前記の段落（０００３）から（０００６）に示した問題点を解決する器具の実現であることから、本発明の各器具の特徴として、家庭や学校、体育館でも使用できるサイズで軽量な組立式清掃器具の製作が可能となり、ゴミ取り、雑巾掛け及びワックス掛けが同時に実行できる。そのため、清掃時間の短縮化、身体的負担を大幅に軽減させる効果は大きく、消耗品の節約と交換する手間の省力化、清掃に要する水の節約もできる。更に、ゴミ取り器具、雑巾掛け器具及びワックス掛け器具を別々に３台購入する必要もなくなり、収納スペースも小さくてよい。【００１４】    この発明のゴミ取り器具は、交流又は直流のモーターで駆動するが、従来の器具の問題であった前記段落（０００４）を、本特許の請求項２及び請求項３で示した内容の技術を実現したことで解決した。これによって、他の器具と結合できる構造や器具の小型化及び軽量化ができ、充電式バッテリーを電源にすれば邪魔な電源コードは要らない。
更に、本特許の請求項２及び請求項３に示した円筒形のポンピングローター形式及びシリンダーとピストン形式という２種の装置は、装置の内部でゴミの吸入と排出を行うために、ゴミ吸入パイプ１２１の長さは１０ｃｍ、排出口からゴミケース１１１まで２ｃｍ程度でよく、従って、従来の様に、ゴミを長いゴミホースで吸入する強い吸引力を必要とせず、ゴミケースにゴミを送る風圧も小さくてよいから、吸入したゴミの再排出や悪臭の問題も解決し、叉、長いゴミ吸引ホースやゴミ袋の様な消耗品も不要となり、ゴミケースは取り出してゴミを捨て水洗いができる。勿論、他の器具との結合もでき、手押し把手も取り付け可能で単独使用もできる。【００１５】    この発明の雑巾掛け器具は、従来の器具の問題であった前記段落（０００５）を、本特許の請求項４及び請求項５で示した内容の技術を実現したことにより解決した。
従って、不要になったタオルや布が再利用が可能で、消耗品を殆ど無くし、手間も大幅に省力でき、仕上がりも水を絞った雑巾と同様な清掃ができ、圧力水槽の水や湯に人体に無害で芳香性の消毒剤を混入すれば良好なスプレー液となり、他の器具と結合も可能で、手押し把手も取り付けられ単独使用も可能である。
叉、圧力水槽の圧力の注入は、電動式圧力ポンプでも、専用の足踏み圧力ポンプでも可能であり、電気のない場所でも使用できる。【００１６】    この発明のワックス掛け器具は、従来の器具で問題の前記段落（０００６）を、本特許の請求項６で示した内容の技術を実現したことで解決できた。
従って、ワックスを含滲したペーパー又は布が汚れる度に一々交換する必要がなく、手間も掛からず、広い床面を連続的にワックス掛けができる。他の器具と結合ができ、手押し把手の取り付けができ単独使用も可能である。【００１７】    この発明の組立式清掃器具は、長いゴミ吸入ホースも不要で、充電式バッテリーを利用すれば、コードレスで持ち運びができる。ゴミ取り器具、雑巾掛け器具及びワックス掛け器具のそれぞれを、使用場所や場所の広さ、その目的に合わせて小型化又は必要なサイズに設計し、製造が可能であるから、家庭用とか学校用とか何々用の組立式清掃器具として使用の用途が広がる。
【発明を実施するための最良の形態】
【００１８】    この発明は、ゴミ取り、雑巾掛け及びワックス掛けという３種の作業を同時に行う組立式清掃器具を実現することにあるが、そのためには従来のゴミ取り器具、雑巾掛け器具及びワックス掛け器具にそれぞれにあった問題点を解消し、性能に優れ、取扱いが容易で小型化できる器具を開発する必要があった。
これらの課題は、電動モーターや充電式バッテリーの性能の影響も受けるが、前記の通り、この特許の請求項２から請求項６に示した内容の器具の開発によって解決した。
開発したこれらの器具は、それぞれ単独に使用できる器具でありながら、小型で互いに結合可能な構造に設計し製作できるため、本特許の請求項１に記載した作業目的に適う組合せが可能で、３種又は２種の作業が同時にできる組立式清掃器具として実現した。
従って、清掃する場所の広さに合った能力とサイズの器具が製作できるため、従来、大きな問題であった清掃に要する長い時間や身体的負担を大幅に軽減する清掃器具として、一般家庭用、学校用、体育館用という使用場所に適する組立式清掃器具が可能となった。
【実施例】
【００１９】    実施例について、図面を参照して説明する。
先ず、この発明の組立式清掃器具（図１）の基本構成は、単独に使用できる３種の器具であり、即ち、電気モーターで駆動するゴミ取り器具（図３）、雑巾掛け器具（図４）及びワックス掛け器具（図５）で構成される結合組立構造であり、それぞれの器具には結合フック（１０５や２２４など）があり、互いに結合が可能である。
以下に、この実施例について詳細に説明する。【００２０】    図３はゴミ取り器具を示す。この器具の構成は大きく分けて、電気モーターで回転しながらゴミの吸入、排出を行うポンピングローター（図１０）とゴミ吸入パイプ（図８）及びゴミケース（図９）の３つである。
先ず、ポンピングローターは、把手４０１に取付けた充電式バッテリー４０３を電源とするモーター１３８で、円筒形のローターケース１３１ａ内の回転軸１３６を回転し、この軸に対して自由に回転できるリング１４３ａ，１４４ａに２枚のブレード１４１ａ及び１４２ａを取付け、動作制御装置（図１４）によって、２枚のブレードにタイミングよく回転及び静止の動作を交互に与えると、２枚のブレードの間に真空と圧縮の作用が生じ、この作用を利用してゴミの吸入と排出を行わすことができる。このポンピングローター形式の装置は、強靭な素材で製作すれば、真空ポンプ、圧力ポンプ、コンプレッサーなど幅広く単独に製品化できる。本特許の請求項３に記載したピストン形式（図１９）も同様である。
ポンピングローターは、図１０に示す様に左右に２個あり、右左ローターの各２枚のブレードの動作は、それぞれ半回転ずれてゴミの吸入及び排出を行っているので、外部のゴミは絶えずゴミ取り器具に吸入されている。左右のローターは同じ構造と仕組であって、以降、左側のローターに於て、説明する。
ゴミの吸入パイプ１２１とゴミケース１１１とは、ローターケースのゴミ吸引口１３５ａと排出口１３４ａに繋がっている。
次に、動作制御装置の仕組とブレードの動作について説明する。
動作制御装置（図１４及び図１３）に於て、回転円板１７１ａに付いたブレードの回転ピン１７２ａ、１７２ｂの出し入れ操作で、２枚のブレード１４１ａ、１４２ａに回転を与え、ピン１５１の出し入れで２枚のブレードを所定の位置に静止する。この２枚のブレードの間に真空と圧縮の作用が生じ、恰も、シリンダー内のピストンの動作を作り上げている。
即ち、２枚のブレードは、ポンピングローターの回転軸１３６の外周を自由に回転するリング１４３ａと１４４ａに取り付けてあり、ブレード１４１ａがピン１７２ａに捕らえられ回転している時は、ブレード１４２ａはローターケースのピン穴から出たブレード静止ピン１５１によって、所定の静止位置に静止している。又、ブレード１４１ａが回転して、ブレード１４２ａから遠ざかる側では、真空が生じてゴミをゴミ吸入口１３５ａからゴミを吸入し、同時に、ブレード１４１ａがブレード１４２ａに接近する側では、２枚のブレード間に圧縮作用が生じ、既に吸入したゴミを排出口１３４ａからゴミケース１１０に排出する動作になっている。
ブレード１４１ａがブレード１４２ａに近付き、排出口を通過する少し前に、ブレード静止ピン１５２ａを押し下げて、上下レバー１５５が下がり、そのため静止リリースピン１５１が解放され、同時に、シリンダーケースの側板に付いた回転制御ピン１５４ａ及び１５４ｂも下がり、回転制御円板のブレード回転ピン１７２ａ、１７２ｂが開かれ、それにブレード１４２ａが捕えられて回転を始める。
今度は、回転ピンに捕えられ回転を始めたブレード１４２ａが、ブレードの回転を解放する回転リリースピン１５３を押し下げると、ブレード回転ピン１７２ａ、１７２ｂがリリースされ静止ピン１５１に捕えられて静止位置に静止する。この様に、ポンピングローターの内部に於て、その動作制御装置によって、２枚のブレードが回転と静止の動作を交互に繰り返し、ゴミの吸引と排出を行うことが出来る。
ローターケースのゴミ排出口から出たゴミは、直下のゴミ受口からゴミケース１１０に落とされ、ゴミ通路の仕切板を通り（図９）、ケース内の各部に運ばれる。仕切板はゴミの逆流を防止しする多層構造になっており、それでも外部に出ようとする微細ゴミを２層のスポンジフィルターで捕獲し、更に、ゴミケース内で循環させ、ゴミが外部に排出できない様にしている。
ゴミケースは取り出して、ケースやスポンジフィルターは洗浄が可能である。
更に、電動モーター１３８を利用して、雑巾掛け器具２０１の圧力水槽２２１を加圧する小さな圧力ポンプを備えており、圧力が最低圧になった時に自動的に稼働して、圧力ホースの先端金具１０３を通して水槽の圧力注入口２２３から加圧する。【００２１】    図２０１は、雑巾掛け器具の実施例を示す。
この器具は、水を絞った雑巾を使用する代わりに、圧力水槽から出る水（又は湯）を直接に床面などにスプレイする装置（図１６）と、スプレイされた水を拭き取り、布が汚れたら自動的にローラーで巻いて、新しい布面を引き出す布の巻取り装置（図１５）で構成される。以下に、その仕組の詳細を説明する。
圧力水槽を加圧する方法は電動ポンプと足踏みポンプの２種採用し、１つはゴミ取り器具内に収めた圧力注入ホースを引き出し、その先端の圧力ホース金具１０３を、圧力水槽２２１に付いた圧力注入口２２３に結合して電動ポンプで自動的に加圧する方法と、２つ目は、足踏み式圧力器具（図７）から出たホース先端の金具５０２を同様に圧力水槽の圧力注入口に結合し加圧する方法である。
圧力水槽の内圧は圧力センサー又は圧力計２２２で計測され、過剰圧はそこに付けられた圧力解放弁から解放して圧力注入を止め、逆に最低圧になった場合は再び加圧する。
圧力の加わったスプレイ水は、圧力水槽から出た圧力水パイプ２３２を通り、その先端の圧力水分配器具２３３から、数多くの圧力水分岐パイプ２３４に分岐され、更に、その先端の小さなスプレイノズルがジグザグ配置２３６されたスプレイノズル配置板２３５に取付けられている。
スプレイ水の発射と中止及び噴出水量の調節は、圧力水パイプ２３２に取り付けた調節ツマミ２３１の開閉にて行う。
次に、畳や床面にスプレイされた水（又は湯）をロール状に巻かれた布の拭取り面で、把手４０１によって掃器具２０１を移動しながら拭き取り、更に、布が汚れると自動的に新しい布の部分に擦らして入れ替える布の巻取り装置の仕組について説明する。
布の巻取り装置には、本特許請求項４に記載した通り、２つの方式があり、此では第一番目に示した巻取り装置（図１８）を中心に説明する。
図２０１はケース側板を外し、布の拭き取り面の部分をローラー２０９を中心に回転して、靴の先端が垂れた状態を示す。
靴形の巻取り装置にロール巻きした布をセットする方法の説明から始めよう。
ローラー２０３と２０４は取り外しができ、新しい布はローラー２０３にセットして、布の先端をガイドベルト２１８に少し挟んで、ローラー２０４のツマミ２３１を手で回わす。ローラー２０５、２０６、２０７、２０８及び２０９は、マジックテープ付きのガイドベルト２１８で連動して回転し（図１７）、布を移動する装置である。ガイドベルトが移動して、新しい布の先端は順次に送られ、下に垂れる。そこで、布の先端２１９をローラー２０４とガイドベルト２１８に挟む様にして、ツマミ２３１を回せば、布はローラー２０４に巻き取られ、ガイドベルトの位置を元の靴の形に戻せばセットが完了する。
ローラー２０３と２０４とは回転が互いに逆方向になっているため、２０４で巻き取られた布の外側は新しい面になっている。布の片面が使い終われば、ローラー２０３と２０４を入れ替えを布をセットすれば、今度は新しい裏面が使用できる。
次に、布が汚れ度合に達したとき、一度に新しい布面に擦らす仕組の説明をする。
雑巾を裏返す迄に拭いた床面などの面積から、一般の経験に基ずいて、布の移動面の長さを汚れ度合の基準としている。
図１８は、本実施例の布面を擦らして入れ替える装置の概要を示す斜視図である。
本装置の仕組は、床面などに接触した布面の移動長さを、布の接触面の長さ置き替え、ローラー２０４で巻き取り、新しい布の面に擦らす機能によって実現している。
器具の移動によって、ローラー２０９が回転する。その回転軸にはネジ溝２１０が刻まれており、ネジの回転によってツメ軸２１３に沿ってツメ２１４が移動する。
ツメには渦巻きバネ２１１を巻き取るリード線２１２を引っ張るように繋っており、ツメに付いた突起２１５は、そのガイド２１６の返り点まで移動する。ガイドの返り点までの長さは、布の拭取り面の移動が汚れ度合の長さに達したとき、入れ替える可き汚れた布面の長さと丁度、同じにしてある。
ガイドの返り点でツメの突起が外れて元に戻るとき、渦巻きバネ２１１を巻くリード線２１２が緩み、渦巻きバネが働いてローラー２０４を回し、汚れた布面の長さだけを巻き取り、その分、新しい布の面が一度に擦れて入れ替わる。
この時、ローラー２０４は布の新しい面が出るように巻き取られているため、新しい布の片面が全部使い終わると、次にローラー２０３とローラー２０４を入れ替えれば、布の両面が全て利用できることになる。
又、ローラー２０９は器具が前進したときのみネジ溝を回転するが、バックしたときは回転せず、移動した長さにはならない。
ここで、第二番目の方式である布巻取り装置について説明する。
この方法は、一度にまとめて擦らす第一番目の方法とは違い、器具の移動と共に少しずつ布を移動し、巻き取る方法を採っている。
器具が移動するとガイドベルトのローラー（図１７）が回転し、ガイドベルトと一緒に新しい布面が少しずつ引かれ、これを巻取りローラー２０４で連続的に巻き取る。
この時、器具が移動した長さに対して、ローラーで巻かれた布の長さが目標に合う様にガイドベルトローラーの回転とガイドベルトの移動の関係を決めればよい。
この第一、第二の布巻き取り方法は、ワックスペーパーの巻き取り方法にも共通する。【００２２】    図５は、ワックスペーパーをロール状に巻いたワックス掛け器具の実施例を示している。その内部の様子は、図２の３０１で分かるが、前記に示した雑巾掛け器具２０１に於る圧力水槽とスプレイ装置を除いた雑巾掛けだけの装置と略同じ機能である。
従って、ワックス掛けして汚れたペーパーの部分を擦らし、新しいペーパーの部分と自動的に入れ替える装置の仕組は、雑巾掛け器具の仕組と同じである。
ワックスペーパーの片面を使い終わると、新しいワックス面が表になる様に巻き取ってあるので、所定のローラーを入れ替えれば、両面が最後まで無駄なく利用できる。
従って、実現した装置の仕組は、雑巾掛け器具の場合の説明で代用し、此に喋々重ねた説明は省略する。
【産業上の利用可能性】
【００２３】      この発明は、ゴミ取り器具、雑巾掛け（拭き掃除）器具及びワックス掛け器具に関するものと、それらを結合できる構造にして３種又は２種の作業を同時に行う組立式清掃器具に関するものであるが、従来の各々の器具の問題点を解決することも課題としているため、各器具を構成する装置や機能に於て、従来にない新しい形式や仕組を実現することが必須になった。
従って、新しい形式の装置や機能の仕組は、清掃器具を離れて単独に新しい製品や機構に利用される可能性が高いものがある。
１つには、ゴミ掃除や雑巾掛け及びワックス掛けの作業をする必要がある現場では、これらの作業が同時にできる簡便な器具があれば、確実に作業時間の短縮や身体的負担の大幅な軽減が実現できるため、広く利用されるに違いない。
２つ目は、ゴミ取り器具に利用したゴミの吸入及び排出装置は、真空ポンプと圧力ポンプの作用を同時に持つことから、この装置を構造的に強度と耐久性の高い素材で製造すれば、効率が高く高性能の真空ポンプ及び圧力ポンプ（コンプレッサー）という単独の製品として利用できる。
【図面の簡単な説明】
【００２４】
【図１】本発明の組立式清掃器具の斜視図。ゴミ取り器具１０１、雑巾掛け器具２０１及びワックス掛け器具３０１が結合された全体の外観を示す。
【図２】本発明の組立式清掃器具の外側ケースの側板を外した状態の側面図。
【図３】本発明のゴミ取器具の前側（上の図）及び後側（下の図）からの斜視図。
【図４】本発明の雑巾掛け器具の前側からの斜視図。
【図５】本発明のワックス掛け器具の後側からの斜視図。
【図６】本発明の組立式清掃器具及び各器具に共通の把手４０１の構成斜視図。
【図７】本発明の雑巾掛け器具の圧力水槽２２１を加圧する足踏み式圧力ポンプの斜視図。
【図８】本発明のゴミ取り器具のゴミ吸入パイプの斜視図。
【図９】本発明のゴミ取り器具のゴミケースの斜視図。取出しケースを少し出し、仕切板及びスポンジフィルターが見える様に描いた状態。
【図１０】本発明のポンピングローターの正面図（上の図）、底面図（中央の図）及び側面図（下の図）を示す。
【図１１】本発明のポンピングローターのブレード制御円板１７１ａ、１７１ｂとそれを回転軸１３６に取付けた状態の正面図（上の図）及び側面図（下の図）を示す。
【図１２】本発明のポンピングローターの回転ブレード１４１ａ、１４２ａの状態とゴミの吸入口１３４ａ及び排出口１３５ａなどの状態を示す斜視図。
【図１３】本発明のポンピングローターを構成する内部機構の断面を示す。
【図１４】本発明のポンピングローターのブレード１４１ａ，１４２ａの回転と静止を制御する動作制御装置の仕組を示す概要図。
【図１５】本発明の雑巾掛け器具２０１に雑巾をセットするときの雑巾の状態を示し、図は器具のケース側板を取り除いた側面図。
【図１６】本発明の雑巾掛け器具での、圧力水槽２２１とスプレイ装置の構成を示す概要図。
【図１７】本発明の雑巾掛け器具に於て、雑巾を移動させるローラーの構成を示す斜視図。
【図１８】本発明の雑巾掛け器具に於て、雑巾を自動的に移動させる装置の構成概要を示す。
【図１９】本発明のゴミ取り器具に於て、ポンピンダローター形式と異なり、ゴミの吸入及び排出をシリンダーとピストンの形式で行う装置の斜視図で、一部分はその内部の構成を示している。
【図２０】本発明のゴミ取り器具に於て、ゴミの吸入及び排出を行うシリンダーとピストンの形式で可動する装置（図１９）の概念図。
【符号の説明】
【００２５】（以下はゴミ取り器具の関連）
１０１はゴミ取り器具
１０２は把手取付口
１０３は圧力ホース金具
１０４は把手ロール端台受口
１０５、１０６ａ，１０６ｂは他の器具との結合フック（メス）
１０７はローラー
１０８はブラシ毛
１１０はゴミケース
１１１はゴミケース外枠（本体に固定）
１１２は上仕切板
１１３は中仕切板
１１４は微細ゴミ落とし
１１５は第１スポンジフィルター
１１６は第２スポンジフィルター
１２１はゴミ吸入パイプ
１２２はゴミ吸入パイプとゴミ吸入口との結合口
１３１ａ，１３１ｂはポンピングローター
１３２はポンピングローターケースの側板
１３３ａ，１３３ｂはポンピンダローターの据付台
１３４ａ，１３４ｂはポンピングローターのゴミ排出口
１３５ａ，１３５ｂはポンピングローターのゴミ吸入口
１３６はポンピングローターの回転軸
１３７は回転軸受
１３８は電動モーター
１４１ａ，１４２ａはポンピングローターのブレード
１４３ａ，１４４ａはブレードの取付けリング
１５１はブレードの静止ピン
１５２ａ，１５２ｂはブレードの静止ピンのリリースピン
１５３はブレードの回転ピンのリリースピン
１５４ａ，１５４ｂはブレードの回転ピン
１５５はブレードの静止ピンの上下レバー
１５６はブレードの回転ピンの上下レバー
１５７はブレードの静止ピンの上下レバーの復帰バネ
１６１，１６４は上下レバーのピン支持固定端（回転中心）
１６２，１６３，１６５はピンジョイント
１７１ａ，１７１ｂはブレード制御円板
１７２ａ，１７２ｂ，１７３ａはブレード回転ピン
（以下は雑巾掛け器具の関連）
２０１は雑巾掛け器具
２０２は雑巾の端を巻取りローラー２０４に巻込む回転ツマミ
２０３は新しい雑巾を巻くためのローラー
２０４は汚れた雑巾を巻取るローラー
２０５，２０６，２０７，２０８及び２０９はガードベルトを送るローラー
２１０はローラー２０９の軸に刻まれたネジ溝
２１１は渦巻きバネ
２１２は渦巻きバネとそれを巻取るツメと２１４を結ぶリード線
２１３は渦巻きバネを巻取るツメの支持軸
２１４はネジの回転により移動し、リード線を引くためのツメ
２１５はツメから出た突起
２１６はツメから出た突起の移動ガイド
２１７は各ローラーの取付板
２１８はマジックテープの付いたガードベルト
２１９は雑巾
２２１は圧力水槽
２２２は圧力計測器と圧力調節弁
２２３は圧力注入口
２２４，２２５ａ，２２５ｂはゴミ取り器具と結合するフック（オス）
２３１はスプレイ水の発射、中止、噴射量の調節ツマミ
２３２は圧力水パイプ
２３３は圧力水分岐器
２３４は圧力水分岐パイプ
２３５はスプレイノズル配置板
２３６はスプレイノズル配置板に配置したスプレイノズル
（以下はワックス掛け関連）
３０１はワックス掛け器具
３０２は把手のロール端台受口
３０３はワックスペーパー巻取りツマミ
３０４、３０５、３０６、３９７はガイドベルトローラー
３０８はワックスペーパー（又は布）
（以下は把手及び足踏み圧力器具の関連）
４０１は各器具に共通の把手
４０２は電動モーターのスイッチ（ＯＮ，ＯＦＦ）
４０３は充電式バッテリー
４０４はロール端台及びゴミ取り器具の把手取付口１０２への差込口
４０５はロール端台
４０６は把手差込口４０４のロール端台受口
４０７は各器具に把手を付けるための差込み端子
４０８はローラー
５０１は足踏み式圧力器具
５０２は圧力水槽の圧力注入口２２３に差込む金具
（以下はシリンダーとピストン形式のゴミ吸入及び排出装置の関連）
６０１ａ，６０１ｂは外側シリンダーケース
６０２ａ，６０２ｂは内側シリンダーケース
６０３はピストン
６０４はピストンロッド
６０５は動力伝達軸
６０６はゴミ吸入口
６０７はゴミ排出口
６１１は固定ピン端子（動力伝達軸の回転中心）
６１２は動力回転体６２１と動力伝達軸６０５とを繋ぐピンコネクター
６１３は動力伝達軸６０５とピストンロッド６０４を繋ぐピンコネクター
６１４はシリンダーケースとピストンロッドの間の気密保持ピンコネクター
６１５はピストン６０３とピストンロッド６０４とのピンコネクター
６２１は電動モーター又はそれによって回転する動力回転体
【図１】
2005087685.tif 000003
【図２】
2005087685.tif 000004
【図３】
2005087685.tif 000005
【図４】
2005087685.tif 000006
【図５】
2005087685.tif 000007
【図６】
2005087685.tif 000008
【図７】
2005087685.tif 000009
【図８】
2005087685.tif 000010
【図９】
2005087685.tif 000011
【図１０】
2005087685.tif 000012
【図１１】
2005087685.tif 000013
【図１２】
2005087685.tif 000014
【図１３】
2005087685.tif 000015
【図１４】
2005087685.tif 000016
【図１５】
2005087685.tif 000017
【図１６】
2005087685.tif 000018
【図１７】
2005087685.tif 000019
【図１８】
2005087685.tif 000020
【図１９】
2005087685.tif 000021
【図２０】
2005087685.tif 000022